(57)【要約】      （修正有）【課題】空間活用を増大させることができる光増幅器及びその製造方法を提供する。【解決手段】ケース１０００と、光増幅器を含む増幅モジュール部１０６０と、光送受信機とを含み、増幅モジュール部及び光送受信機は、ケースに含まれ、ケースは、１つ以上の連結要素１０８０を介して互いに結合される上段部１０１０及び下段部１０２０を含み、上段部は、下段部から上段部に延びる第１方向−Ｄ１に垂直な第２方向＋Ｄ２に配列された第１及び第２のセクション１０３０、１０５０を含み、第１セクションは、第２のセクションよりも広い面積を有し、第２のセクションは、増幅モジュール部が実装される空洞１０５１を含み、増幅モジュール部は、光増幅器の少なくとも一部を実装するための第１の部分１０６１と、第１の部分の一側に形成された結合支持部１０６２を含む。【選択図】図１０
2018022137.tif 000002
【特許請求の範囲】
【請求項１】
ケースと、光増幅器を備える増幅モジュール部と、光送受信機とを含む装置において、
前記増幅モジュール部及び前記光送受信機は、前記ケースに含まれ、
前記ケースは、１つ以上の連結要素を介して互いに結合される上段部及び下段部を含み、
前記上段部は、前記下段部から前記上段部に延びる第１方向に垂直な第２方向に配列された第４及び第５のセクションを含み、
前記第４のセクションは、前記第５のセクションよりも広い面積を有し、前記第５のセクションは、前記増幅モジュール部が実装される空洞を含み、
前記増幅モジュール部は、前記光増幅器の少なくとも一部を実装するための第１の部分と、前記第１の部分の一端に形成された結合支持部を含むことを特徴とする装置。
【請求項２】
前記増幅モジュール部と前記ケースの下段部との間に結合され、前記結合支持部の１つ以上のホールと結合される電気コネクタをさらに含むことを特徴とする請求項１に記載の装置。
【請求項３】
前記増幅モジュール部は、光入力/光出力ポート及び電気信号入力/出力ポートをさらに含むことを特徴とする請求項１に記載の装置。
【請求項４】
前記ケースの上段部の側面に形成され、前記増幅モジュール部の一部が結合される１つ以上の溝をさらに含むことを特徴とする請求項１に記載の装置。
【請求項５】
ケースと、光増幅器を備える増幅モジュール部と、光送受信機とを含む装置において、
前記増幅モジュール部及び前記光送受信機は、前記ケースに含まれ、
前記ケースは、１つ以上の連結要素を介して互いに結合される上段部及び下段部を含み、
前記上段部は、前記下段部から前記上段部に延びる第１方向に垂直な第２方向に配列された第１乃至第３のセクションを含み、
前記第１セクションは、前記第３のセクションよりも広い面積を有し、第２セクションは、第１のセクションと第３セクションを分けて、
前記第３のセクションは、前記増幅モジュール部が実装される空洞を含むことを特徴とする装置。
【発明の詳細な説明】
【技術分野】
【０００１】
本発明は、光増幅器及びその光増幅器の製造方法に関するものである。特に、本発明は、規格化された光送受信機のケースに別途の空間を設け、前記空間に実装することができる光増幅器に関するものである。
【背景技術】
【０００２】
インターネットの普及とデータサービスの増加により、広帯域サービスの要求が増加しており、これによる光通信技術における帯域幅が増加する傾向は続いており、今の広帯域の時代を超えて、超広帯域の時代を実現するための技術革新が要求されている。広帯域信号を伝達する基盤網である光伝送網の信号速度は、過去１０年間で２.５Ｇｂｐsから１０Ｇｂｐsへと発展してきたが、超高速インターネットの必要性により、ＩＥＥＥで２０１０年半ばに４０Ｇｂｐs及び１００Ｇｂｐsインターネットの標準化を完成し、これと関連して、IＴＵ-Ｔでは、これらの信号のトラフィックを受容して伝送することができる４０Ｇｂｐs及び１００Ｇｂｐs-ＯＴＮの勧告案を用意した。このように急変する帯域幅の増加傾向は、４０Ｇｂｐs及び１００Ｇｂｐsを伝送できる光送受信機の開発を要求している。光伝送網は、データセンターからユーザー端末に至るまでの広帯域サービスの伝達において、重要な役割を担ってきており、クラウドサービスとモバイル機器のデータサービスの利用が拡散され、光伝送網の超広帯域化の要求がより強調されており、このような傾向は、当分の間続くものと予測している。特に、データセンターとインターネット/光伝送網の大容量/高速化のために、持続的な４０Ｇ/１００Ｇの光送受信機への交替が行われる見通しである。
【０００３】
大容量の伝送を行うためには、多数の光送受信機が必要であり、多数の光送受信機を集めておく空間を減らすために、超小型化する傾向にある。また、様々な事業者が、それぞれの形態で製作をすると、機構的互換性を持たないため、別途の基準を制定して規格化している。
【０００４】
規格化の代表的な基準が、Ｃフォームファクタープラガブル（Ｃ  Ｆｏｒｍ-Ｆａｃｔｏｒ  Ｐｌｕｇｇａｂｌｅ、以下、「ＣＦＰ」という）である。ＣＦＰは、ＣＦＰ、ＣＦＰ２、ＣＦＰ４に区分され、数字が大きいほどケースが小さいことを意味する。特にＣＦＰ２は、通信会社が望む速度と光部品の大きさが最適化された構造で最も多く使用される規格である。
【０００５】
図１は、１つ以上の光送受信機（図示せず）を含み、メインフレーム（５００）に結合可能なＣＦＰ２基盤のケース（１００）を含む光通信装置（１０）の一例を示している。光通信装置（１０）は、プラグイン（ｐｌｕｇ−ｉｎ）の形態で提供されることができる。
【０００６】
光通信装置（１０）を使用して実現された多数の光送受信機は、光ネットワークを提供するために使用することができ、１９インチのラックのような商業用として購入することができる単一のラックで提供されて、占有空間を最小化することができる。
【０００７】
例えば、１つ以上の光送受信機（図示せず）を含むケース（１００）は、ケース（１００）の雄型電気コネクタ（１２）をメインフレーム（５００）の雌型電気コネクタ（１１）に連結することにより、メインフレーム（５００）に連結されることができる。
【０００８】
光通信装置（１０）の寸法及び構造をより明確に説明するために、+Ｄ１、-Ｄ１、+Ｄ２及び-Ｄ２の方向を導入する。+Ｄ１方向及び-Ｄ１方向は、互いに反対方向である。+Ｄ２方向及び-Ｄ２方向は、互いに反対方向である。+Ｄ１及び-Ｄ１方向のそれぞれは、+Ｄ２及び-Ｄ２方向のそれぞれに垂直である。
【０００９】
エラーがない光信号を受信するためには、受信機で受信する光信号の強度が一定レベルより大きくなる必要がある。しかし、光信号は、伝送距離が長くなるほど光信号の強度が弱くなる。このような光信号の強度の損失を補償するために、光増幅器を使用することができる。
【００１０】
光ファイバー基盤の光増幅器は、光信号を電気信号に変換する必要がないため、光通信システムで広く使用される光増幅器である。
【００１１】
また、光ファイバー基盤の光増幅器には、光を増幅させることができる媒質である増幅用光ファイバー、励起光を発生させるポンプ光源等の複数の光素子が必須であり、このような光部品は、一定の大きさを有して構成され、複数の光素子及び光ファイバーは、結合のための構造及び外部環境に影響を多く受けるため、光ファイバー基盤の光増幅器は、一定の大きさ以下に製作することが現実的に容易ではない。
【先行技術文献】
【特許文献】
【００１２】
【特許文献１】大韓民国、公開特許１０−２０１２−０１０１８２８号公報
【発明の概要】
【発明が解決しようとする課題】
【００１３】
光通信の速度が、４０Ｇｂｐsまたは１００Ｇｂｐsに速くなるほど要求される光信号の強度が高くなるので、光増幅器の使用は、必須である。したがって、光送受信機の１つに、１つの光増幅器が追加で必要となるのが、現在の実情であり、前記光増幅器は、付加的な空間が必要となるので設置空間のコストが増加する。
【００１４】
本発明が解決しようとする技術的課題は、空間活用を高めることができる光増幅器及びその製造方法を提供するものである。特に、規格化された光送受信機を使用する光通信装置の空間効率を高めることができるようにすることが本発明の目的である。
【００１５】
スロット空間の使用を最小化すること、すなわち、空間活用を高めて、光送受信機と光増幅器を使用するための新しい形態の光増幅器または光送受信機を提供することが本発明の目的である。
【課題を解決するための手段】
【００１６】
本発明の課題を解決するための手段としての一実施例に係るケースと、光増幅器を備える増幅モジュール部と、光送受信機とを含む装置において、前記増幅モジュール部及び前記光送受信機は、前記ケースに含まれ、前記ケースは、１つ以上の連結要素を介して互いに結合される上段部及び下段部を含み、前記上段部は、前記下段部から前記上段部に延びる第１方向に垂直な第２方向に配列された第４及び第５のセクションを含み、前記第４のセクションは、前記第５のセクションよりも広い面積を有し、前記第５のセクションは、前記増幅モジュール部が実装される空洞を含み、前記増幅モジュール部は、前記光増幅器の少なくとも一部を実装するための第１の部分と、前記第１の部分の一端に形成された結合支持部を含むことを特徴とする。
【００１７】
また、本実施例の他の一側面によれば、前記増幅モジュール部と前記ケースの下段部との間に結合され、前記結合支持部の１つ以上のホールと結合される電気コネクタをさらに含むことを特徴とする。
【００１８】
また、本実施例の他の一側面によれば、前記増幅モジュール部は、光入力/光出力ポートと電気信号入力/出力ポートをさらに含むことを特徴とする。
【００１９】
また、本実施例の他の一側面によれば、前記ケースの上段部の側面に形成され、前記増幅モジュール部の一部が結合される１つ以上の溝をさらに含むことを特徴とする。
【００２０】
本発明の課題を解決するための手段としての一実施例によるケースと、光増幅器を備える増幅モジュール部と、光送受信機とを含む装置は、前記増幅モジュール部及び前記光送受信機は、前記ケースに含まれ、前記ケースは、１つ以上の連結要素を介して互いに結合される上段部及び下段部を含み、前記上段部は、前記下段部から前記上段部に延びる第１方向に、垂直な第２方向に配列された第１〜第３のセクションを含み、前記第１セクションは、前記第３のセクションよりも広い面積を有し、第２セクションは、第１のセクションと第３セクションを分けて、前記第３のセクションは、前記増幅モジュール部が実装される空洞を含むことを特徴とする。
【発明の効果】
【００２１】
以上で説明した本発明によると、別途のスロット空間を必要とせず、規格化された光送受信機内の制限された空間を最大限に活用して、光増幅器を実現することができる利点がある。
【００２２】
これにより、システムの価格を抑えて、価格競争力を高めるようにすることができ、効率性を増大させることもできる。
【００２３】
また、別途の空洞を形成して、組立を容易にすることができ、組立時間を短縮させて、生産性を向上することができる。
【図面の簡単な説明】
【００２４】
【図１】１つ以上の光送受信機（図示せず）を含むＣＦＰ２基盤のケースがメインフレームにプラグインされた光通信装置の例を示す図面である。
【図２】（Ａ）は、上部と底部（１１０及び１２０）が互いに結合されるケース（１００）の斜視図であり、（Ｂ）は、（Ａ）の側面図であり、（Ｃ）は、（Ｂ）のケースの一部分の拡大図である。
【図３】図１の光通信装置の側断面図である。
【図４】図３のケースの上段部の一実施例の図面である。
【図５】図４に開示されたケースの上段部の他の図面である。
【図６】本発明の一実施例による光送受信機を含むケースがメインフレームに結合される光通信装置の側断面図である。
【図７】図４のケースの上段部の実施例１を示す図面である。
【図８】図４のケースの上段部の実施例２を示す図面である。
【図９】図４のケースの上段部の実施例３を示す図面である。
【図１０】本発明の一実施例による光送受信機及び光増幅器を実装するためのケースの斜視図である。
【図１１】図１０の側断面図である。
【発明を実施するための形態】
【００２５】
図２乃至図５は、従来におけるＣＦＰ２に適用される光送受信機の規格化されたケース（１００）を示す図面である。図２は、ＣＦＰ２のケースの上段部（１１０）と下段部（１２０）が結合された形態を示す図面である。ケース（１００）の大きさは、非常に小さいものを満足させなければならない。
【００２６】
図３乃至図５は、従来におけるＣＦＰ２のケース（１００）の上段部（１１０）の形状を示す図面である。上段部（１１０）は、光送受信機が位置するところのカバーの役割をする第１のセクション（１３０）と、光送受信機を構成する複数の部品と分離させる役割をして、光送受信機を制御するメイン制御部（１３１）が結合された雄型電気コネクタ（１４２）を支持しつつ雄型電気コネクタ（１４２）に結合された第２のセクション（１４０）と、雄型電気コネクタ（１４２）がプラグの形態で締結される雌型電気コネクタ（１４３）の上面を覆い、雄型電気コネクタ（１４２）が雌型電気コネクタ（１４３）と結合された場合、雌型電気コネクタ（１４３）の上面に位置する第３のセクション（１５０）とで構成されている。
【００２７】
図２乃至図５から理解できるように、第３のセクション（１５０）の外部形状は、汎用的に使用するために規格化されており、ケース（１００）は非常に小さいものであるため、光増幅器が必要な場合、別の現存する光増幅器を入れることができない構造である。
【００２８】
図６乃至図１１は、このような問題点を解決するために規格化され、小さいＣＦＰ２のケースに光増幅器を入れるための構造の実施例である。
【００２９】
（実施例１：図７等を参照）
ＣＦＰ２の規格を有するシステムに適用するために、光増幅器は、規格化されたケース（１００）を使用しなければならない。したがって、ケースの外形的な構造は同じものを使用しなければならない。
【００３０】
したがって、ケース（１００）の上段部（２１０）の形状は、従来のケースの上段部（１１０）と同一であり、上段部（２１０）は、第１のセクション（２３０）と、第２のセクション（２４０）と、第３セクション（２５０）とからなる。
【００３１】
光増幅器は、増幅用光ファイバー（２３１）、複数の光部品（２５４）（例えば、ポンプ光源、アイソレータ、波長分割多重化カプラ、波長可変光フィルタ、モニタリングタブフォトダイオード）を駆動して制御することができる駆動制御部（２５３）で構成される。
【００３２】
光部品は、特性上、振動等の外部環境に敏感で、光ファイバーは、ベンディング（ｂｅｎｄｉｎｇ）等に対して、光パワーの損失が克明に現れる。したがって、多数の光部品をパッケージングして構成する光部品の実装が非常に重要である。
【００３３】
上段部（２１０）に光増幅器を載せるために、第１のセクション（２３０）は、増幅に必要な長さのＥＤＦ（Ｅｒｂiｕｍ-ｄｏｐｅｄ ｆｉｂｅｒ）（２３１）を巻いて実装することができるルーティングホール（ｒｏｕｔｉｎｇ ｈｏｌｅ）（２３２）を含んでいる。ルーティングホール（２３２）の深さは、規格化された上段部（２１０）の厚さよりも薄く構成しなければならない。
【００３４】
また、ルーティングホール（２３２）は、円形で構成することができ、楕円形で構成することもできる。ＣＦＰ２のケースの形状を考慮すれば、楕円形の形状が望ましい。
【００３５】
また、使用されるＥＤＦ（２３１）は、一般的なＥＤＦではなく、ベンディング損失が低い機能を有する特殊なＥＤＦを使用することができる。これは、ＣＦＰ２のケースの大きさのために、一般的なＥＤＦを使用すれば、ベンディング損失が大きいからである。したがって、ルーティングホール（２３２）を円形または楕円形で構成するとき、ルーティングホール（２３２）の円形部分の半径は、５ｍｍ以上が可能であるが、上段部（２１０）の形状を考慮して、最大限大きな半径を有するようにルーティングホール（２３２）を形成することが望ましい。
【００３６】
ルーティングホール（２３２）のＥＤＦ（２３１）は、第２のセクション（２４０）を介し、第３のセクション（２５０）の複数の光素子と連結される。ＥＤＦ（２３１）は、第１のセクション（２３０）のルーティングホール（２３２）に位置させ、ＥＤＦ（２３１）が動かないように別途の部材を使用して、第１のセクション（２３０）に結合させることが望ましい。また、ルーティングホール（２３２）に実装したＥＤＦ（２３１）は、モールディング材等を利用して固定する必要がある。モールディング材の種類は、シリコン等がある。
【００３７】
図４及び図７を参照すると、図４における従来の第２のセクション（１４０）は、長方形の形態であり、図７における上段部（２１０）の第３のセクション（２５０）と第１のセクション（２３０）との間に含まれている。しかし、図６及び図７を参照すると、本発明の第２のセクション（２４０）は、中央に開口部（２４１）を含むことができる。前記開口部（２４１）は、長方形の形態で上段部（２１０）の第３のセクション（２５０）と第１のセクション（２３０）との間に含まれ、ＥＤＦ（２３１）は、開口部（２４１）を介して、第１のセクション（２３０）から第３のセクション（２５０）まで連結することができる。
【００３８】
また、開口部（２４１）には、後述する駆動制御部コネクタ（２５５）が位置して、光増幅器だけをテストするための空間を提供する。
【００３９】
雄型電気コネクタ（１４２）は、第２のセクション（２４０）の締結ホール（２４２）に結合される。従来の第２のセクション（１４０）は、開口部がなく、第２のセクション（２４０）と雄型電気コネクタ（１４２）との結合が堅固なものであるが、本発明で提案する第２のセクション（２４０）は、開口部（２４１）を含んでいるため、相対的に雄型電気コネクタ（１４２）を十分に支持することができなくなる。このような問題は、複数の支持部（２５２）を第２のセクション（２４０）の一面に形成して、雄型電気コネクタ（１４２）の支持面積を広げることにより解決することができ、複数の支持部（２５２）のうちの２つは、締結ホール（２４２）の付近に形成することが望ましい。
【００４０】
従来の第３のセクション（１５０）には、別途の内部空間がなく、放熱のための構造のみが含まれているが、本発明の第３のセクション（２５０）には、空洞（２５１）（図６を参照）がさらに含まれている。前記の空洞（２５１）は、上段部（２１０）のＣＦＰ２の外郭規格の形状を変更することなく、第３のセクション（２５０）に含まれなければならない。空洞（２５１）は、駆動制御部（２５３）及び光増幅器を構成するための複数の光部品（２５４）を含むことができる。駆動制御部（２５３）は、可撓性の印刷回路基板に形成することが望ましく、複数の光部品（２５４）は、空洞（２５１）に実装することができるように小型化された複数の光部品（２５４）を使用することができる。複数の光部品（２５４）は、例えば、ポンプ光源、アイソレータ、波長分割多重化カプラ、波長可変光フィルタ、モニタリングタブフォトダイオードを含むことができる。ポンプ光源、アイソレータ、波長分割多重化カプラは、通常使用される光ファイバー基盤の光増幅器の構成であり、この中で波長可変光フィルタは、光増幅器の出力に光信号対雑音比を減らすために使用される。駆動制御部コネクタ（２５５）は、駆動制御部（２５３）とメイン制御部（１３１）（図６を参照）を連結するものであり、第２のセクション（２４０）の開口部（２４１）を横切るように又は開口部（２４１）内に位置する。前記駆動制御部コネクタ（２５５）は、駆動制御部（２５３）とメイン制御部（１３１）を結合させる役割をするだけではなく、結合後のモジュールごとにテストを行うことができる空間及び機能を有している。このような特徴は、それぞれのモジュールごとに異常の有無を判断することができ、容易な管理を可能にする。
【００４１】
空洞（２５１）内に駆動制御部（２５３）と複数の光部品（２５４）を実装するためには、まず、駆動制御部（２５３）は、空洞（２５１）の底部に位置させる。これは、全体の光送受信機から見れば、上部側に該当する。複数の光部品（２５４）は、駆動制御部（２５３）の上に位置させる。このとき、駆動制御部（２５３）は、複数の光部品（２５４）のケースによりショートが発生することがあるので、このような現象を防止するために、空洞（２５１）は別途の区画部材を含むことができる。
【００４２】
駆動制御部（２５３）と複数の光部品（２５４）は、空洞（２５１）の内部に実装されるので、上段部（２１０）と下段部（１２０）を結合させると、駆動制御部（２５３）と複数の光部品（２５４）は、下向きになるので、駆動制御部（２５３）と複数の光部品（２５４）を空洞（２５１）に固定させる必要がある。このために、モールディング材を利用することができ、例えば、モールディング材は、シリコンタイプの熱硬化性のモールディング液を使用することができる。このようなシリコンタイプのモールディング液は、熱を伝達する特性が他のモールディング材よりも良いので、放熱のために好ましく、シリコンタイプのモールディング液は硬化されると、ケースの上段部の面と接触して放熱に効果的である。また、モールディング液は、別途のジグ（ｊｉｇ）を製作してモールディング液が開口部（２４１）に漏れ出ないように、注射針を使用して注入する。モールディング液は、その後に硬化させる。ジグを利用してモールディング液をガイドするので、モールディング液が硬化した後の形状は、ジグを利用して形成することができ、形状は、ＣＦＰ２の形状と、放熱することができる表面積とを考慮して製作することができる。したがって、一度に駆動制御部（２５３）と複数の光部品（２５４）は、モールディングされる。
【００４３】
上段部（２１０）と下段部（１２０）が結合する場合、空洞（２５１）に固定された増幅用光ファイバー（２３１）、複数の光部品（２５４）及び駆動制御部（２５３）は、雄型電気コネクタ（１４２）または雌型電気コネクタ（１４３）等との干渉が起こることがある。したがって、これを防止するために、第３のセクション（２５０）を覆う別途のカバーが第３のセクション（２５０）に結合することができる。
【００４４】
（実施例２：図８等を参照）
図８は、本発明の他の実施例を示す図面である。実施例２において、上段部（３１０）は、第１のセクション（２３０）と、第２のセクション（２４０）と、第３のセクション（２５０）とで構成され、第２のセクション（２４０）は、中央に開口部（空洞、２４１）を含む長方形の形態であり、上段部（３１０）の第３のセクション（２５０）と第１のセクション（２３０）との間に位置している。
【００４５】
第２のセクション（２４０）は締結ホール（２４２）を含み、締結ホール（２４２）には雄型電気コネクタ（１４２）が結合される。しかし、従来の第２のセクション（１４０）とは異なり、開口部（２４１）を含む第２のセクション（２４０）は、相対的に電気コネクタを十分に支持することができなくなる。このような問題は、複数の支持部（２５２）を第２のセクション（２４０）の一面に形成して、電気コネクタの支持面積を広げることにより解決することができ、複数の支持部（２５２）の中で２つは、締結ホール（２４２）の付近に形成することが望ましい。
【００４６】
第３のセクション（２５０）は空洞（２５１）（図６を参照）を含み、空洞（２５１）内に駆動制御部（２５３）と複数の光部品（２５４）を実装するためには、まず、駆動制御部（２５３）は、空洞（２５１）の底部に位置させる。これは、全体の光送受信機から見れば、上部側に該当する。複数の光部品（２５４）は、駆動制御部（２５３）の上に位置させる。このとき、駆動制御部（２５３）は、複数の光部品（２５４）のケースによりショートが発生することがあるので、このような現象を防止するために、空洞（２５０）は、別途の区画部材を含むことができる。
【００４７】
駆動制御部コネクタ（２５５）は、第２のセクション（２４０）の開口部（２４１）をクロスして、第１のセクション（２３０）にあるメイン制御部（１３１）（図６を参照）と駆動制御部（２５３）を連結させる。駆動制御部コネクタ（２５５）は、光増幅器をテストすることができる。
【００４８】
増幅用光ファイバー（２３１）は、空洞内に楕円形を持つように駆動制御部（２５３）の上部に実装される。このとき、増幅用光ファイバー（２３１）を固定するために、空洞（２５１）は、支持部材（２５６）を含むことができる。複数の光部品（２５４）は楕円形の形態であり、空洞（２５１）に実装された増幅用光ファイバー（２３１）の内側に位置する。駆動制御部（２５３）、増幅用光ファイバー（２３１）及び複数の光部品（２５４）は、モールディング液を利用して空洞（２５１）に固定させることができる。例えば、モールディング材は、シリコンタイプの熱硬化性のモールディング液を使用することができる。また、上段部（３１０）と下段部（１２０）が結合する場合、空洞（２５１）に固定された増幅用光ファイバー（２３１）、駆動制御部（２５３）及び複数の光部品（２５４）は、雄型電気コネクタ（１４２）または雌型電気コネクタ（１４３）等との干渉が起こることがある。したがって、これを防止するために、第３のセクション（２５０）を覆う別途のカバーを第３のセクション（２５０）に結合することができる。
【００４９】
（実施例３：図９等を参照）
図９は、本発明の他の実施例を示す図面である。図９を参照すれば、実施例３は、実施例２に比べて、生産性の向上、光増幅器を組立した後のテストの利便性等で、より優れた効果を有する。
【００５０】
図９を参照すれば、光増幅器を第３のセクション（２５０）に実装させることにおいて、光増幅器の上段部（４１０）は、第１のセクション（２３０）、第２のセクション（２４０）及び第３のセクション（２５０）とを含み、第３のセクション（２５０）は、空洞（２５１）（図６を参照）及び増幅モジュール部（４２０）を含む。増幅モジュール部（４２０）は、空洞（２５１）と結合することができる。また、光増幅器は、前記増幅モジュール部（４２０）に実装される。増幅モジュール部（４２０）は、例えば、プラスチック材質の長方形の形態ですることもあり、駆動制御コネクタ（２５５）を通過させることができる孔を含むことができる。
【００５１】
増幅モジュール部（４２０）の底部には駆動制御部（２５３）を位置させ、増幅モジュール部（４２０）の外部に駆動制御部コネクタ（２５５）を位置させる。駆動制御部コネクタ（２５５）は、第２のセクション（２４０）の開口部（２４１）を介して、駆動制御部（２５３）とメイン制御部（１３１）とを連結することができ、別途のテスト用途で使用することができる。
【００５２】
増幅用光ファイバー（２３１）は、楕円形の形態に巻かれて増幅モジュール部（４２０）に実装されることができ、複数の光部品（２５４）は、実装された増幅用光ファイバー（２３１）内に位置させることができる。また、前記の増幅用光ファイバー（２３１）と複数の光部品（２５４）は、前記モールディング液を利用して、増幅モジュール部（４２０）の内部に固定させることができる。本実施例において、駆動制御部（２５０）と増幅用光ファイバー（２３１）との位置は変えることができる。
【００５３】
本実施例は、増幅用光ファイバー（２３１）を増幅モジュール部（４２０）の内部に実装したが、第１のセクション（２３０）にルーティングホール（２３２）を形成して、増幅用光ファイバー（２３１）はルーティングホール（２３２）に位置させ、増幅モジュール部（４２０）は、増幅用光ファイバーを除く複数の光部品（２５４）、駆動制御（２５３）または他の部品だけを含むこともできる。
【００５４】
（実施例４：図１０等を参照）
図１０と図１１は、本発明の一実施例による光送受信機及び光増幅器を実装するためのケースの斜視図と側面図である。
【００５５】
図１０に示されたように、ケース（１０００）は、互いに結合される上段部（１０１０）及び下段部（１０２０）を含んでいる。前記ケース（１０００）の上段部（１０１０）は、上段部（１０１０）から下段部（１０２０）に延長されている方向、すなわち＋Ｄ１に垂直な方向である＋Ｄ２に配列される第４のセクション（１０３０）及び第５のセクション（１０５０）を含むことができる。第４のセクション（１０３０）には、少なくとも一つの光送受信機（図示せず）を含むことができ、第５のセクション（１０５０）は、前記増幅モジュール部が実装される空洞を含むことができる。第４のセクション（１０３０）は、第５のセクション（１０５０）よりも広い面積を有することができる。
【００５６】
前記第５のセクション（１０５０）の空洞（１０５１）内には、光増幅器（図示せず）を含む増幅モジュール部（１０６０）を備えることができる。また、前記増幅モジュール部（１０６０）は、前記光増幅器の少なくとも一部を実装するための第１の部分（１０６１）と、前記第１の部分（１０６１）の一端に形成された結合支持部（１０６２）とを含む。
【００５７】
ケース（１０００）は、メインフレーム（図示せず）（例えば、図１の５００）の電気コネクタに連結されて光通信装置（図示せず）を形成する電気コネクタ（１０７０）をさらに含むことができる。また、前記電気コネクタ（１０７０）には、少なくとも一つの第１の連結ホール（１０７２）を含むことができ、前記結合支持部（１０６２）には、第１の連結ホールと対応される少なくとも一つの第２の連結ホール（１０６３）が形成されることができる。
【００５８】
第１及び２の連結ホール（１０７２及び１０６３）を介して、下段部（１０２０）、上段部（１０１０）及び結合支持部（１０６２）は、連結要素（１０８０）、例えば、ねじにより電気コネクタ（１０７０）に結合されることができる。このような結合により、電気コネクタ（１０７０）は増幅モジュール部（１０６０）と上段部（１０１０）との間に配置されることができる。
【００５９】
上記で、一部の実施例では、増幅モジュール部（１０６０）は、光入力/光出力ポート（１０６４-１）及び電気信号入力/出力ポート（１０６４-２）をさらに含むことができる。
【００６０】
光入力/光出力ポート（１０６４-１）は、例えば、第４のセクション（１０３０）内の光送受信機（図示せず）に結合（例えば、融着接続）されることができ、電気信号入力/出力ポート（１０６４-２）は、例えば、少なくともメイン制御部（図示せず、例えば、図６の１３１）に連結されることができる。他の例として、光入力/光出力ポート（１０６４-１）は、露出された光ファイバーまたはＳＣ、ＬＣ等のような他の標準の光コネクタを使用して実現されることができる。
【００６１】
また、一部の実施例では、増幅モジュール部（１０６０）は、第４のセクション（１０３０）に形成された１つ以上のホール（図示せず）を-Ｄ２方向に延長されるピンのような１つ以上の突出部（図示せず）を含むことができる。増幅モジュール部（１０６０）は、１つ以上の突出部を第４のセクション（１０３０）の１つ以上のホール内に結合することにより、第４のセクション（１０３０）に結合されるように構成することができる。
【００６２】
一部の実施例では、増幅モジュール部（１０６０）は、側面に少なくとも１つ以上のグルーブ（ｇｒｏｏｖｅ）（図示せず）をさらに含むことができる。また、ケース（１０００）の第５のセクション（１０５０）は、側面に形成された少なくとも１つ以上のスライドレールを含むことができる。前記スライドレールは、前記グルーブに対応され、前記増幅モジュール部（１０６０）は、前記スライドレールに前記グルーブを介して第５のセクション（１０５０）内に摺動するように構成されることができる。
【００６３】
また、一部の実施例では、増幅モジュール部（１０６０）は、側面に少なくとも１つ以上のスライドレール（図示せず）をさらに含むことができる。また、ケース（１０００）の第５のセクション（１０５０）は、側面に形成された少なくとも１つ以上のグルーブを含むことができる。前記スライドレールは、前記グルーブに対応され、前記増幅モジュール部（１０６０）は、前記スライドレールとグルーブを介して第５のセクション（１０５０）内に摺動するように構成することができる。
【００６４】
また、一部の実施例において、前記ケース（１０００）の上段部（１０１０）の側面には、１つ以上の溝をさらに含むことができ、前記溝は、第４のセクション（１０３０）と第５のセクション（１０５０）を分ける役割をすることができる。前記１つ以上の溝には、前記増幅モジュール部（１０６０）の一部が結合することができる。前記増幅モジュール部（１０６０）の一部は、好ましくは結合支持部（１０６２）とすることができる。
【符号の説明】
【００６５】
１０：光通信装置
１１、１４３：雌型電気コネクタ
１２、１４２：雄型電気コネクタ
１００、１０００：ケース
１１０、２１０、３１０、１０１０：上段部
１２０、１０２０：下段部
１３０、２３０：第１のセクション
１３１：メイン制御部
１４０、２４０：第２のセクション
１５０、２５０：第３のセクション
２３１：増幅用光ファイバー（ＥＤＦ）
２３２：ルーティングホール
２４１：開口部
２４２：締結ホール
２５１：空洞
２５２：支持部
２５３：駆動制御部
２５４：光部品
２５５：駆動制御部コネクタ
２５６：支持部材
４２０：増幅モジュール部
５００：メインフレーム
１０３０：第４のセクション
１０５０：第５のセクション
１０６０：増幅モジュール部
１０６１：第１の部分
１０６２：結合支持部
１０６３：第２の連結ホール
１０７２：第１の連結ホール
１０８０：連結要素
【図１】
2018022137.tif 000003
【図２】
2018022137.tif 000004
【図３】
2018022137.tif 000005
【図４】
2018022137.tif 000006
【図５】
2018022137.tif 000007
【図６】
2018022137.tif 000008
【図７】
2018022137.tif 000009
【図８】
2018022137.tif 000010
【図９】
2018022137.tif 000011
【図１０】
2018022137.tif 000012
【図１１】
2018022137.tif 000013